(57)【特許請求の範囲】
【請求項１】
弾性線材を密接状又は所定のピッチでコイル形に巻回してなる挟持部のコイル形線材の一端を支柱として延長してなる表示用カード止具において、前記挟持部のコイル形線材の他端を前記支柱の延長方向に沿って延長してなる摘み片を形成すると共に、該摘み片の形状を指先で押圧した際の指先の負担を和らげるための折曲形状とし、指先で前記支柱と前記摘み片とを同時に摘むことにより前記挟持部のコイル形線材間を開いた隙間に表示用カードを挟持するか、又は前記挟持部のコイル形線材間に表示用カードを押込んで挟持するようにしたことを特徴とする表示用カード止具。
【請求項２】
前記支柱の下端に該支柱を支持する支持板が固定されたことを特徴とする請求項１記載の表示用カード止具。
【請求項３】
前記支柱の下方を折曲してこれを支持台としたことを特徴とする請求項１記載の表示用カード止具。
【請求項４】
前記支柱の下部に前記コイル形挟持部と同様の挟持部を形成したことを特徴とする請求項１記載の表示用カード止具。
【請求項５】
前記支柱の下部にクリップを設けたことを特徴とする請求項１記載の表示用カード止具。
【発明の詳細な説明】
【０００１】
【発明が属する技術分野】
本発明は、値札等の表示用カードを挟持して陳列台等に設置するようにした表示用カード止具に関する。
【０００２】
【従来の技術】
従来、例えば商店等において値札等を表示する際に使用する止具としては、支持板に立設した支柱の上端にクリップを設けたものが周知である。
【０００３】
このクリップ式止具は、一対の挟持部材を回動自在に連結すると共に双方の挟持部材の開閉をバネ部材によって弾性的に支持した構成を有するものである。
【０００４】
ところで、このクリップ式止具を使用するには、指先で双方の挟持部材の後部を把持することによって先端側を開放し、この開放された隙間に表示用カードを挿入して双方の挟持部材で挟持するというものであり、大型店舗において多量の止具を必要とする場合に、その一つ一つに表示用カードを挿着する作業に多大な労力と時間を要するものであった。
【０００５】
【発明が解決しようとする課題】
また、上記の止具は一対の挟持板の連結部に故障が多く発生し、各部材を組立てるのに手間を必要とし、さらにバネ部材のへたりによって挟持力が劣化するという欠点があった。
【０００６】
本発明は、上記の欠点を解消すべく、低コストで大量に製造でき、簡単な構成であっても必要な挟持力を確保でき、さらに値札等の表示用カードを挿着する手間を簡便にすることができる表示用カード止具を提供することを目的とする。
【０００７】
【課題を解決するための手段】
以上の目的を達成するために、請求項１の発明は、弾性線材を密接状又は所定のピッチでコイル形に巻回してなる挟持部のコイル形線材の一端を支柱として延長してなる表示用カード止具において、前記挟持部のコイル形線材の他端を前記支柱の延長方向に沿って延長してなる摘み片を形成すると共に、該摘み片の形状を指先で押圧した際の指先の負担を和らげるための折曲形状とし、指先で前記支柱と前記摘み片とを同時に摘むことにより前記挟持部のコイル形線材間を開いた隙間に表示用カードを挟持するか、又は前記挟持部のコイル形線材間に表示用カードを押込んで挟持するようにしたことを特徴とする。
【０００８】
また、請求項２の発明は、請求項１において、前記支柱の下端に該支柱を支持する支持板が固定されたことを特徴とする。
【０００９】
また、請求項３の発明は、請求項１において、前記支柱の下方を折曲してこれを支持台としたことを特徴とする。
【００１０】
また、請求項４の発明は、請求項１において、前記支柱の下部に前記コイル形挟持部と同様の挟持部を形成したことを特徴とする。
【００１１】
さらに、請求項５の発明は、請求項１において、前記支柱の下部にクリップを設けたことを特徴とする。
【００１２】
【発明の実施の形態】
以下図面に基づいて本発明の実施形態を説明する。
【００１３】
図１において、本発明の実施例の表示用カード止具１の挟持部２は、弾性線材で構成されている。この線材としては、バネ鋼又はその他の金属線を用い、又は弾性を有する合成樹脂製による線材を用いてもよい。特に、線材に耐食性を必要とする場合、リン青銅やＣＡ合金等の銅合金、ステンレス鋼等を用いてもよい。
【００１４】
図１に示す表示用カード止具１は、本発明における基本的な構成を有するものであり、密接状のコイル形に巻回してなる挟持部２の線材（コイル形線材５）の一端を支柱３として延長する一方、挟持部２の線材の他端を支柱３に沿う方向に延長してなる摘み片４として形成してある。
【００１５】
このような挟持部２は、上記の線材を螺旋状に巻回することによって円筒形に形成してあるが、用途や所望のデザインによって、円錐形、鼓形、タル形、その他、多角形或いは異形状に形成してもよい。
【００１６】
図２（ａ）乃至（ｃ）に示す止具１においては、一例として、挟持部２のコイル形は三回巻きにより形成され、隣接するコイル形線材５、５、５が互いに密接するように形成されている。このような挟持部２におけるコイル形線材５、５間に表示用カード（以下、カードと云う）Ｃを差し込むと、各コイル形線材５の弾性力に抗してカードＣが狭圧され、しかもコイル形線材５の内周底部６がストッパの役割を果たしてカードＣの下端を保持する。なお、コイル巻数は、三回巻きに限定されるものではなく、任意の巻数でよい。
【００１７】
また、挟持部２を形成するために断面円形の線材を使用してコイル形とした場合、図２（ａ）に示すように、上部の形状が円弧形の凹凸が連続したものとなり、隣接するコイル形線材５、５間において、カードＣを差し込む際には、カードＣがいずれかの凹部５ａに嵌まり込むため、差込み動作を容易に行うことができる。
【００１８】
また、挟持部２のコイル形における線材間のピッチＰ（図１参照）は、上記のようにコイル形線材５が互いに密接した状態とするほか、不図示ではあるが、コイル形線材５、５間に隙間をあけたピッチとすることも可能である。これは、表示用カードＣの厚さによるものであり、厚手のカードをコイル形線材５、５間で挟持する場合に適用される。
【００１９】
さらに本実施例において、挟持部２の線材の一端を支柱３として延長する一方、摘み片４は、図２(a)に示すように、挟持部２のコイル形線材５の他端を支柱３の延長方向に沿って延長することにより形成されている。この摘み片４は、コイル形線材５の弾性力に抗して指先で押圧する際、指先の負担を和らげるために折曲形状としてあり、デザイン的にも多様な意匠性を得ることができる。
【００２０】
また、摘み片４は、図２(b)に示すように、支柱３を支点として指先で同時に摘むことにより、挟持部２のコイル形線材５、５間を開いて隙間５ｂを形成することができ、この隙間５ｂにカードＣを無理なく差し込み、図２(c)に示すように、摘み片４に対する把持力を解除することにより、カードＣを挟持部２のコイル形線材５、５間で挟持することが可能となる。
【００２１】
従って、本発明による止具１においては、挟持部２のコイル形線材５、５間に表示用カードＣを差し込む場合、図２（ａ）に示すように、強靭性のあるカードＣを挟持する場合等のように、摘み片４を摘まずに押込むだけの方法と、図２（ｃ）に示すように、強靭性のないカードＣを挟持する場合等のように、摘み片４を摘んでコイル形の線材５、５間に隙間をあけてから差し込む方法とが可能である。
【００２２】
そのいずれにおいても、数回巻回されたコイル形の線材５、５間には、巻回数から１を減じた数だけの隙間ができるため、そのいずれにもカードＣを差し込むことができ、１個の止具で一枚のカード又は複数枚のカードを挟持することが可能となるだけではなく、カードの差込作業の際にねらいをつけずに差し込むことができ、大量のカードを差し込む作業が容易かつ迅速に行えることとなる。
【００２３】
なお、図１の止具１において、支柱３は直線状に形成されているため、この支柱３を発泡スチロール、土、食材など、差込可能な部材に差し込んで用いることができる。従って、例えば、食材の入った発泡スチロールや植木の販売における土に差し込むほか、ケーキに差込んで表示用カードＣを表示することができる。また、そのままの状態で花束等とともに束にして利用することもできる。
【００２４】
本発明の止具１は、支柱３を自立させるために、以下に示す様々の形態手段によることができる。
【００２５】
図３乃至図５に示す止具１においては、直線状の支柱３の下端を平状につぶし、その平状につぶした部位３ａを支持板７の立上片８に形成された上下の切片９、９で狭圧する構成とすることにより、支柱３は回り止めされた状態で支持板７に対して自立した構成とされる。
【００２６】
また、図６に示す止具１は、支柱３の下方を折曲してなる支持台１０を設けることにより、該支持台１０で支柱３を自立させるようにしている。このような構成においては、止具１を一本の弾性線材のみの折曲加工によって低コストで作製することができ、しかも簡素なデザインとすることができる。
【００２７】
また、図７に示す止具１において、支柱３の下部に上方のコイル形挟持部２と同様の挟持部２を形成したことによって、支柱３を介して上下に一対のコイル形の挟持部２、２を有する構成とされている。
【００２８】
この止具１においても、一本の弾性線材のみの折曲加工によって低コストで得ることができ、一方の挟持部２を薄板状の板部材１１に挟むことによって、この止具１を固定し、他方の挟持部２にカードＣを挟持することができる。
【００２９】
さらに、図８に示すように、支柱３の下部にクリップ１２を設けることによって、このクリップ１２を厚みのある板部材１１（図７参照）又は図８のような棒部材１３に挟むことができ、これによって支柱３を自立した状態にして上部の挟持部２にカードＣを挟むことができる。
【００３０】
【発明の効果】
本発明の表示用カード止具によれば、弾性線材を密接状又は所定のピッチでコイル形に巻回してなる挟持部の線材の一端を支柱として延長する一方、挟持部の線材の他端を支柱の方向に延長してなる摘み片として形成したものであるため、主構成部を一本の線材のみの曲げ加工によって形成することができ、製造コストの低減に有益であると共に、簡素な構成によって、故障がなく、またデザイン面においても、従来の止具にはないシンプルな意匠性を得ることができる。
【００３１】
また、上記の構成により、挟持部に表示用カードを差し込む場合、強靭性のある表示用カードを挟持する場合は、摘み片を摘まずに単に押込む方法により、また強靭性のない表示用カードを挟持する場合は、摘み片を摘んでコイル形線材間に隙間をあけてから差し込む方法によることができ、さらにはコイル形線材の内周底部がストッパの役割を果たして挟持された表示用カードの下端を保持することができる。
【００３２】
さらに、本発明の止具においては、支柱を自立支持するための支持手段を支持板によるもの、支柱の下方を折曲形状にしてこれを支持台としたもの、支柱の他端にコイル形挟持部と同様の挟持部を形成したことによって板状部材に挟むだけで自立支持を可能としたもの、支柱の下部にクリップを設けることによって板状部材のほかに棒部材に挟んで自立支持を可能としたもの等、様々な形態とすることが可能である。
【図面の簡単な説明】
【図１】本発明による止具を示す斜視図である。
【図２】（ａ）乃至（ｃ）は、本発明における挟持部に表示用カードを挿入する状況を示す側面図である。
【図３】本発明の止具における支柱に支持板を設けた場合の斜視図である。
【図４】図３の止具の正面図である。
【図５】図３の側面図である。
【図６】本発明の止具において支柱の下部を折曲形状の支持台にした場合の斜視図である。
【図７】本発明の止具において支柱を介して上下に挟持部を設けた場合の斜視図である。
【図８】本発明の止具において支柱の下部にクリップを設けた場合の斜視図である。
【符号の説明】
１…表示用カード止具
２…挟持部
３…支柱
４…摘み片
５…コイル形線材
６…コイル形の内周底部
６…表示用カード
７…支持板
８…立上片
９…切片
１０…支持台
１１…板部材
１２…クリップ
【図１】
0003551416.tif 000002
【図２】
0003551416.tif 000003
【図３】
0003551416.tif 000004
【図４】
0003551416.tif 000005
【図５】
0003551416.tif 000006
【図６】
0003551416.tif 000007
【図７】
0003551416.tif 000008
【図８】
0003551416.tif 000009